(57)【要約】  ハウジング（１）およびインサーションを含むファッションアクセサリ。ハウジング（１）は、第１開口（３）および第２開口（４）を含み、インサーションは、ハウジング（１）において据え付け位置にある場合、第１開口を通して見ることができ、インサーションは、第２開口を通して据え付け位置へと取り外し可能に取り付けられてよい。ファッションアクセサリ（１）は、人々が、自身の宝飾品類または他の複数のファッションアクセサリの外観において複数のオプションを有することを可能にし、複数のロゴまたは複数の他の装飾構成要素を含むものがハウジング（１）に挿入されることを可能にする。
2016540533.tif 000002
【特許請求の範囲】
【請求項１】
ハウジングおよびインサーションを備えるファッションアクセサリであって、前記ハウジングは、第１開口および第２開口を有し、前記インサーションは、前記ハウジングにおいて据え付け位置にある場合、前記第１開口を通して見ることができ、前記インサーションは、前記第２開口を通して前記据え付け位置へと取り外し可能に取り付けられ得る、ファッションアクセサリ。
【請求項２】
前記インサーションは、保持手段によって前記ハウジングにおいて定位置に保持される、請求項１に記載のファッションアクセサリ。
【請求項３】
前記インサーションは、少なくとも１つのマグネットを含む保持手段によって前記ハウジングにおいて定位置に保持される、請求項１に記載のファッションアクセサリ。
【請求項４】
前記ハウジングは、前記インサーションが前記第１開口から取り外されることを防止するスカートを有する、請求項１から３のうち何れか１項に記載のファッションアクセサリ。
【請求項５】
前記インサーションは、前記第１開口および前記第２開口を連結する空隙に実質的に収まるように形作られている、請求項１から４のうち何れか１項に記載のファッションアクセサリ。
【請求項６】
前記インサーションは、前記第１開口および前記第２開口を連結する空隙に実質的に収まるように形作られ、複数のマグネットが、前記空隙の複数の壁の少なくとも一部を形成する、請求項１から４のうち何れか１項に記載のファッションアクセサリ。
【請求項７】
前記インサーションは、前記第１開口および前記第２開口を連結する空隙に実質的に収まるように形作られ、前記空隙および前記インサーションは、矩形である、請求項１から４のうち何れか１項に記載のファッションアクセサリ。
【請求項８】
前記インサーションは、前記第１開口および前記第２開口を連結する矩形の空隙に実質的に収まるように形作られており、前記空隙の２つの長辺は、内側表面にはめ込まれた複数のマグネットを有する、請求項１から４のうち何れか１項に記載のファッションアクセサリ。
【請求項９】
前記インサーションは、前記第１開口および前記第２開口を連結する矩形の空隙に実質的に収まるように形作られており、前記インサーションの前記２つの長辺は、磁化されている、請求項１から４のうち何れか１項に記載のファッションアクセサリ。
【請求項１０】
前記インサーションは、前記第１開口および前記第２開口を連結する矩形の空隙に実質的に収まるように形作られており、前記空隙の前記２つの長辺は磁性を有し、前記インサーションの前記２つの長辺は、複数の鋼帯である、請求項１から４のうち何れか１項に記載のファッションアクセサリ。
【請求項１１】
前記インサーションは、前記インサーションが前記据え付け位置にある場合、前記インサーションの外面が前記ハウジングの外面と整列するように、前記ハウジングにおいて収まるように構成されている、請求項１から１０のうち何れか１項に記載のファッションアクセサリ。
【請求項１２】
前記ファッションアクセサリはブレスレットである、請求項１から１１のうち何れか１項に記載のファッションアクセサリ。
【請求項１３】
前記ファッションアクセサリはブレスレットであり、前記第２開口は使用中において、前記ファッションアクセサリを着用している人の手首の近位に配置されている、請求項１から１１のうち何れか１項に記載のファッションアクセサリ。
【請求項１４】
前記ファッションアクセサリはブレスレットであり、前記ファッションアクセサリのバンドは、前記ハウジングから取り外し可能である、請求項１から１１のうち何れか１項に記載のファッションアクセサリ。
【請求項１５】
前記ファッションアクセサリは、ブーツまたは靴である、請求項１から１１のうち何れか１項に記載のファッションアクセサリ。
【請求項１６】
前記ファッションアクセサリはブーツまたは靴であり、前記第２開口が、前記ファッションアクセサリを着用している人の足、足首または脚部の近位に配置されるように、前記ハウジングは、前記ブーツまたは靴の壁の一部分である、請求項１から１１のうち何れか１項に記載のファッションアクセサリ。
【請求項１７】
前記ファッションアクセサリはコートまたはジャケットである、請求項１から１１のうち何れか１項に記載のファッションアクセサリ。
【請求項１８】
前記ファッションアクセサリは、コートまたはジャケットであり、前記第２開口が、前記ファッションアクセサリの内部に面しているように配置されるように、前記ハウジングは、前記コートまたはジャケットのパネルの一部分である、請求項１から１１のうち何れか１項に記載のファッションアクセサリ。
【請求項１９】
前記ファッションアクセサリは、ウォレットまたはハンドバッグである、請求項１から１１のうち何れか１項に記載のファッションアクセサリ。
【請求項２０】
前記ファッションアクセサリは、請求項１から１９のうち何れか１項に従って定義される、ファッションアクセサリのためのインサーション。
【発明の詳細な説明】
【技術分野】
【０００１】
本発明は、概して、ファッションアイテムに関し、特に、入れ換え可能なインサーションを持つ複数のファッションアクセサリに関する。
【背景技術】
【０００２】
現在入手可能である宝飾品類、衣類および他の複数のファッションアクセサリは、主に、一回きりの購入の使い捨てモデルに焦点を当てている。複数のブランド名、複数のロゴおよび他の複数のパターンまたはデザインは、概して、プリントされたロゴ、アイテムに縫い付けられたタグ、または衣類もしくは他の複数のアクセサリにおける刺繍等のアイテムの常設部分である。カジュアルな使用に適しているファッションアクセサリは、例えば、フォーマルな催し物においての使用には、概して適応可能でない。
【０００３】
複数の入れ換え可能な設計が試みられてきた１つの分野は、宝飾品類である。複数の宝石商は、使い捨ての宝飾品類の問題を解決すべく、より多様性がありカスタマイズされた複数の製品を製造することによって、多数の方法を試みてきた。より一般的であって関連する形態のうちのいくつかは以下の通りである。
【０００４】
装飾付き宝飾品類：装飾付き宝飾品類の分野は、決して新しい分野ではない。小売業者達は、個人の複数の特性および美的感覚を反映させるべく、最初のブレスレットモデルを変える様々な「装飾品」を提供することによって、使い捨ての宝飾品類の課題を解決することを目標としている。しかしながら、この「記念品」の形態は、宝飾品アイテムの全体の外観が、複数の異なる設定においてより適切であるようにする複数の入れ換え可能な部品よりもむしろ、複数の異なる断片の合体である傾向がある。
【０００５】
磁気宝飾品類：磁気宝飾品類もまた、最近人気が増しており、特にカスタマイズ可能な複数のオプションにおいて増してきている。磁気宝飾品類は比較的安価である傾向があるが、それは、また、比較的壊れやすい。容易に分解し、組み立てることが可能であるというそれの固有の性質によって、それは、一つの宝飾品を別の設定に対してより適切なものへと変えるための実行可能なオプションとなる。それにもかかわらず、既存のものから新しいモデルを作成するために必要な断片の量は、作成を非現実的にする。
【０００６】
上記のように、装飾付き宝飾品類は、顧客が、複数の特定の宝飾品類会社によって提供される個々のコレクションの複数の欠点を、ある程度カスタマイズおよび個性化することを実に可能にする。加えて、これらの装飾品は、次に、「スクラップブック」同等の宝飾品類において一緒に着用される。これらのオプションは、楽しく意味を持つ場合がある一方、この特定のアイテムが設定に対して適切であるか否かの固有の問題は変えない。日常使用のための装飾付きブレスレットは、ほとんどの状況では良いが、例えばフォーマルな夕食には適切でないかもしれない。このプロセスにおける利点は、オプションの多さおよびアクセス可能性である。ほとんどの宝石商は、装飾品の取扱いアイテムを在庫として持っているため、自身にとって意味を持つものを反映するものを得ることは非常に容易である。
【０００７】
磁気宝飾品類は、たまたま、非常に万能であり、使用が容易であり、楽しくクリエイティブである。しかしながら、それは比較的新しく、非常に多くの断片は得難い。そうは言っても、組み合せし直し、複数の完全に新しいアイテムを複数の既存の断片から作成することは、非常に容易である。これは、磁気ビーズおよび断片の大きな魅力である。他方、分解および再作成することからの定常的な摩耗は、この種類の宝飾品類を壊れやすく、当てにならないものにする。
【０００８】
衣類およびハンドバッグ等、複数の他のファッションアクセサリに関し、上記のものに類似した入れ換え可能な構成要素は、見られていない。一例は、ジャケット、コート、またはハンドバッグ等の他の複数のアイテム上にピンで留めることができるバッヂまたはブローチの使用である。しかしながら、目的に合うように設計された交換可能な構成要素を持つアイテムは、まだ容易に入手可能ではない。
【０００９】
本明細書における、任意の先の公開文献（またはそれに由来する情報）または既知である任意の事項に対する参照は、先の公開文献（またはそれに由来する情報）または既知の事項が、本明細書が関連する試みの分野において一般的な常識の部分を形成するという確認または容認または如何なる形態の示唆でもなく、それであるとして解釈されるべきではない。
【発明の概要】
【発明が解決しようとする課題】
【００１０】
本発明は、単一モデルが様々な用途を有することを可能にするように適応可能なファッションアクセサリを提供することを目的とする。本発明は、複数の男性および複数の女性が、彼・彼女らの宝飾品類、衣類または他のアクセサリの外観およびスタイルにおいて、複数のオプションを有することを可能にし得る。
【００１１】
本発明は、複数の入れ換え可能なインサーションを介して後に特定の目的に調整され得る、１つの多目的アイテムを提供することを目的とする。結果として、ある朝にカジュアルな催し物のために使用されたアイテムは、例えば、インサーションを変えることによって、数秒内で容易にフォーマルなアクセサリになり得る。同様に、作業ユニフォームの会社ロゴは、異なるロゴまたはデザインに変えられてもよく、カジュアルまたはフォーマルな衣装へとユニフォームを転換する。アクセサリのデザインを変えることは、また、より頻繁にそのアイテムが使用されることを可能にし得る。
【課題を解決するための手段】
【００１２】
一例の態様に従って、ハウジングおよびインサーションを含むファッションアクセサリが提供され、ハウジングは、第１開口および第２開口を含み、インサーションは、ハウジングにおいて据え付け位置にある場合に第１開口を通して見ることができ、インサーションは、第２開口を通して、取り外し可能に据え付け位置へと取り付けられ得る。
【００１３】
別の形態において、インサーションは、保持手段によってハウジングにおいて定位置に保たれる。
【００１４】
別の形態において、保持手段は、少なくとも１つのマグネットを含む。
【００１５】
別の形態において、ハウジングは、インサーションが第１開口から取り外されることを防止するスカートを含む。
【００１６】
別の形態において、インサーションは、第１および第２開口を連結する空隙に実質的に収まるように形作られている。
【００１７】
別の形態において、複数のマグネットは、空隙の複数の壁の少なくとも一部を形成する。
【００１８】
別の形態において、空隙およびインサーションは、矩形である。
【００１９】
別の形態において、空隙の２つの長辺は、内側表面上にはめ込まれた複数のマグネットを有する。
【００２０】
別の形態において、インサーションの２つの長辺は、磁化されている。
【００２１】
別の形態において、インサーションの２つの長辺は、複数の鋼帯である。
【００２２】
別の形態において、インサーションの２つの長辺は、ニッケルめっきされている。
【００２３】
別の形態において、インサーションは、インサーションが据え付け位置にある場合、インサーションの外面が、ハウジングの外面と整列するように、ハウジングに収まるように構成されている。
【００２４】
別例の態様に従って、ファッションアクセサリのためのインサーションが提供され、ファッションアクセサリは、インサーションが中へと適合され得るハウジングを含む。
【００２５】
別の形態において、インサーションは磁性を有する。
【００２６】
別の形態において、ファッションアクセサリは、実質的に本明細書において記載される通りである。
【００２７】
別の形態において、ファッションアクセサリは、ブレスレットである。
【００２８】
別の形態において、第２開口は、使用中、ファッションアクセサリを着用している人の手首の近位に配置される。
【００２９】
別の形態において、ファッションアクセサリのバンドは、ハウジングから取り外し可能である。
【００３０】
別の形態において、ファッションアクセサリは、ブーツまたは靴である。 
【００３１】
別の形態において、ファッションアクセサリは、第２開口が、ファッションアクセサリを着用している人の足、足首または脚部の近位に配置されるように、ファッションアクセサリの壁へと縫い付けられる。
【００３２】
別の形態において、ファッションアクセサリは、コートまたはジャケットである。 
【００３３】
別の形態において、ハウジングは、第２開口が、それがファッションアクセサリの内部に面するように配置されるように、ファッションアクセサリのパネルへと縫い付けられる。
【００３４】
別の形態において、ファッションアクセサリは、ウォレットである。
【００３５】
別の形態において、ファッションアクセサリは、ハンドバッグである。
【００３６】
別例の態様に従って、インサーションが中に配置され得るポケットを含むファッションアクセサリが提供され、ポケットは、少なくとも１つの透明パネルを含み、インサーションが、ポケットの内部にある場合、その透明パネルを通して見ることができる。
【図面の簡単な説明】
【００３７】
複数の例示的な実施形態が、複数の添付図面に関連して説明される、少なくとも１つの好適であるが非限定的な実施形態の例としてのみ与えられる以下の説明から明らかになるはずである。
【００３８】
【図１】ハウジングの上面図を示す。
【００３９】
【図２】ハウジングの底面図を示す。
【００４０】
【図３】ハウジングの断面側面図を示す。
【００４１】
【図４】インサーションの上面図を示す。
【００４２】
【図５】インサーションの底面図を示す。
【００４３】
【図６】インサーションの側面図を示す。
【００４４】
【図７】人の手首に着用されているブレスレットの形態においての実施形態を示す。
【００４５】
【図８】靴の形態においての実施形態の側面図を示す。
【００４６】
【図９】靴の形態においての実施形態の上面図を示す。
【００４７】
【図１０】ジャケットの形態においての実施形態を示す。
【００４８】
【図１１】図１０の実施形態において使用され得るポケットを示す。
【００４９】
【図１２】開いている場合のウォレットの形態においての実施形態の図を示す。
【００５０】
【図１３】閉じている場合のウォレットの形態においての実施形態の図を示す。
【００５１】
【図１４】ハンドバッグの形態においての実施形態の前図を示す。
【００５２】
【図１５】ハンドバッグの形態においての実施形態の上面図を示す。
【発明を実施するための形態】
【００５３】
例としてのみ与えられる以下の複数の形態は、好ましい実施形態または複数の実施形態の主題に対するより正確な理解を提供すべく説明される。
【００５４】
例示的な実施形態の複数の特徴を示すように組み込まれた複数の図において、複数の同様の参照使用は、複数の図の全体にわたって、複数の同様の部分を識別するために使用される。
【００５５】
図１を参照すると、ファッションアクセサリの一部分を形成するのに適しているハウジング２が、示される。ハウジング２は第１開口３を含み、インサーションが、ハウジング２において据え付けられている場合、第１開口３を通して見えてもよい。示される実施形態は、宝飾品類のアイテムとしての使用に適している。ハウジング２は、チェーン、ストラップまたは宝飾品アイテムの他の構成要素が連結されてよい複数の付着点７を含む。この連結は切り離し可能であってよく、従って、チェーン、ストラップまたは他のアイテムが入れ換え可能であるようにしてよい。複数の代替的実施形態において、特にファッションアクセサリが宝飾品アイテムではなく他のものである場合、これらの付着点７は存在しなくてよく、または別の形態であってもよい。
【００５６】
ここで図２を参照すると、ハウジング２は、図１とは反対側から示されている。この側は、第２開口４を含み、インサーションが据え付け位置へとそれを通して取り付けられてよい。スカート５が、この図において見ることができる。インサーションは、据え付け位置にある場合、スカート５に隣接し、スカート５は、従って、インサーションが第１開口３を通して取り外されることを防止する。
【００５７】
ここで図３を参照すると、断面は、ハウジング２の内壁へとはめ込まれたマグネット６を示す。このマグネット６は、インサーションが一旦据え付け位置に置かれるとハウジング２から落下することを防止する保持手段を作成するべく、インサーションと相互作用する。ハウジング２の外面８は、好ましくは、インサーションが据え付け位置にある場合にインサーションの外面と整列するであろう。
【００５８】
ここで図４を参照すると、外面１１および切り欠き１２を含むインサーション１が、示されている。外面１１は、インサーション１がハウジング２において取り付けられている場合、ハウジング２の第１開口３を通して目に見える。切り欠き１２は、インサーション１が据え付け位置にある場合、スカート５に隣接するように形作られている。インサーション１の本実施形態は、また、長辺に沿って、複数の鋼帯１３も含む。複数の鋼帯１３は、ハウジング２においてマグネット６と相互に作用し、インサーション１をハウジング２において保持するように磁化されてよい。しかしながら、複数の鋼帯１３は、他の如何なる適した材料で作成されてよく、または、むしろ単にマグネット６に引き付けられ得る金属で作成されているインサーション１に頼り、複数の代替的実施形態では存在しなくてもよい。さらに別の実施形態において、複数の鋼帯１３またはインサーションの側面は、ニッケルめっきされてよい。
【００５９】
ここで図５を参照すると、インサーション１の反対側が示されており、対向面１４を図示する。この場合もまた、この図は、好ましい実施形態において含まれてよいオプションである複数の鋼帯１３を示す。
【００６０】
図６は、インサーション１の側面図を示す。この図は、切り欠き１２の形状をより詳細に示す。この形状を、図３に示されるようなハウジング２における空隙の形状と比較する場合、インサーションは空隙の断面と一致していることが分かる。また、インサーション１が据え付け位置にある場合、外面１１が、おそらくハウジング２の外面８と同じ平面上にあることも分かる。この場合もまた、複数の鋼帯１３は、図６に示されている。
【００６１】
ここで図７を参照すると、この場合はブレスレットの形態をとる宝飾品類１０のアイテムの実施形態が示されている。インサーション１の外面１１は、ハウジング２の第１開口３を通して目に見える。バンド２０もまた、ハウジング２に取り付けられていることが示されている。
【００６２】
インサーション１がハウジング２に適合されている場合、マグネット６は、インサーション１を適切な位置に保持するであろうが、他方、スカート５は、インサーション１が第１開口３を通して落下することを阻止し、ユーザの腕もまた、インサーション１が第２開口４を通して落下することを防止するであろう。据え付け位置にある場合、インサーション１の外面１１は、ハウジング２の外面８と整列し、１つの連続的な断片であるという錯覚を与えるであろう。
【００６３】
本発明の、ハウジング２にインサーション１を固定する複数の異なる方法を使用する多くの代替的実施形態が、存在する。これらは、限定はしないが、
ハウジングの上部もしくは底部から開き、閉じるヒンジを含み、複数のマグネット、複数のフック、複数のピン、ラッチ、留め金、チェーン、キー、複数のスプリングのうち任意のもの、もしくは別のシステムを用いる扉に見られるものと類似したロックシステムと、
カバーのあるハウジングの底部側に置かれ、インサーションが上部からハウジングの中に配置された、マグネット、または
適切な位置に保持すべく、複数のマグネット、複数のフック、複数のピン、ラッチ、留め金、チェーン、キー、複数のスプリングもしくは別のシステムを、この場合もまた使用し得るハウジングの側面における開口を介し、インサーションをスライドして出したり入れたりすることを可能にするハウジングと、を含んでもよい。
【００６４】
他の複数の代替的実施形態は、ハウジングおよび複数のインサーションの形状およびデザインを、矩形でなくてよいように、変えてよい。
【００６５】
インサーション１は、第２開口４を通してハウジング２に取り付けされ、そこから取り外されるであろう。インサーション１を取り付けるべく、ハウジング２は、第２開口４へのアクセスを提供するように、まず、ひっくり返される。インサーション１は、外面１１がハウジング２へと伏せて面するように、回転させられる。インサーション１は、インサーション１の切り欠き１２が、ハウジング２のスカート５に対して据え付けられるまで、ハウジング２の中に配置される。インサーション１は、複数のマグネット６によって定位置にロックされるであろう。ハウジング２を含む宝飾品アイテムは、次に、身に着けられてよい。インサーション１を取り外すべく、宝飾品アイテムはまず外される。インサーション１は、次に、第２開口４を介してハウジング２から移動するように、外面１１から押し下げられ得る。中身の無いハウジング２は、次に、別のインサーション１と適合させられてよい。
【００６６】
ブレスレット１０の形態にある本発明は、また、手首の周りに付けられる複数のバンド２０のカスタマイズに役立ち、追加のレベルの個性化およびカスタマイズ性を加える。同様に、他の複数の種類の宝飾品類と共に使用される複数のチェーンまたは複数のストラップもまた、入れ換え可能であってよい。
【００６７】
ハウジング２は、インサーション１が容易に配置され取り外されるが、それにもかかわらず一旦配置されてもハウジング２のいずれの開口からもおそらく落下しないように、設計される。設計の単純さは、本発明の使用および再使用を非常に容易にし、複雑なエンジニアリングまたは複数の技術的なシーケンスを学習することの難しさを低減する。
【００６８】
上記のようにハウジング２およびインサーション１は、宝飾品アイテムではなく他の幅広い範囲のファッションアイテムの何れか１つの一部分であるのに適してよい。
【００６９】
図８および９を参照すると、インサーション１およびハウジング２が、ブーツまたは靴３０に取り付けられている例示的な実施形態が、示されている。ハウジング２は、インサーション１が容易に変えられてよいように、通常、靴３０に永久的に取り付けられるであろう。ハウジング２は、靴３０の壁における開口に固定されるであろう。このやり方において、インサーション１は、ハウジング２の位置に応じて、人の脚部、足首または足に最も近い、靴３０の内部から挿入され得る。これは、靴３０が着用されている間、外面１１が見えることを可能にし、インサーション１は、靴３０を脱ぎ、インサーション１をハウジング２から第２開口４を介して靴の内部へと押すことによって、容易に変えられる。
【００７０】
好ましくは、外面１１、外面８および靴の外側はすべて、同じ平面上にあってよい。また、好ましくは、対向面１４、ハウジング２の内面および靴３０の内部の表面は、同じ平面上にあってよく、従って、靴３０を着用していることが快適のままで留まることを可能にする。
【００７１】
別の実施形態において、ハウジングは、また、靴３０におけるポケットによって適切な位置に保持されること等によって、靴３０から取り外し可能であってよい。さらに別の実施形態において、インサーションは、ハウジング２を必要とせずに、単にポケットにおいて保持されてよい。そのようなポケットは、以下に記載される複数の更なる実施形態におけるものと類似してよい。
【００７２】
図１０を参照すると、インサーション１およびハウジング２が、衣類のアイテムにおいて、この場合はジャケット４０において取り付けられている別の例示的な実施形態が、示されている。シャツ、ズボン、ブレザー、スーツ、またはコート等、任意の他の衣類アイテムもまた、使用されてよい。再度、ハウジング２は、ジャケット４０に永久的に固定されてよく、インサーション１が取り外される場合の穴を作成する。上記の複数の実施形態と同様に、外面１１は、ジャケット４０の外側から目に見え、インサーション１は、第２開口４を通してジャケット４０の内部へ向けて取り外され得る。
【００７３】
図１１を参照すると、インサーション１および／またはハウジング２を装着する代替的な方法が示されている。この方法は、インサーション１が取り付けられたハウジング２がポケットに配置され、ジッパー４３または他の類似した閉デバイスを用いて閉じられるポケット４２を使用する。さらに別の実施形態において、ハウジング２は、存在していなくてもよく、インサーション１は単に、ポケット４２の中に配置される。ポケットの少なくとも外側の部分は、おそらく透明であり、従って、取り付けられた場合、インサーション１が目に見えることを可能にする。
【００７４】
図１２を参照すると、インサーション１およびハウジング２がウォレット５０に取り付けられた別の例示的な実施形態が示されている。上記の複数の実施形態に類似したやり方で、ハウジング２は、ウォレット５０に永久的に固定されてよく、インサーション１が取り外される場合に穴を作成する。一例において、外面１１は、図１３に示されるように、ウォレット５０が閉じられている場合に目に見え、インサーションは、第２開口４を通してウォレット５０の内部へ向けて押すことによって取り外される。
【００７５】
別の例示的な実施形態において、インサーション１および／またはハウジング２は、ジャケット４０においてポケット４２を用いる上記の実施形態と同様に、ポケット４２において保持されてよい。ここで、ポケットは、ウォレット５０の一部分を形成してよい。
【００７６】
図１４を参照すると、インサーション１およびハウジング２が、ハンドバッグ６０に取り付けられている別の例示的な実施形態が、示されている。ウォレット５０およびジャケット４０と同様に、ハウジング２は、ハンドバッグ６０の側面の一部分を形成してよい。複数の代替的実施形態において、ポケット４２は、ポケット４２がハンドバッグ６０の側面の一部分に取り付けられるかまたはそれを形成する場合、およびハウジング２がオプションで使用される場合において、使用されてよい。
【００７７】
上記のように、ネックレス、サングラス、バックパック、学生かばん、トラベルバッグ、スーツケースまたは他の旅行かばん、帽子、キャップ、ウォッチ、スカーフ、手袋、ベルト、電話もしくは錠剤ケース、ノートパソコン用バッグもしくはカバー、およびヘアピース等であるが限定はされない、本発明を組み込む多くの他のファッションアクセサリが想定され、本発明の範囲内に収まる。それぞれの場合において、ハウジング２は、様々なインサーション１が、取り付けられ得または取り外され得、且つ入れ替えられ得るように、アイテムの一部分へと取り付けられるか、または組み込まれる。
【００７８】
本発明の範囲から逸脱することなく、多くの変形形態が当業者達には明らかであろう。
【図１】
2016540533.tif 000003
【図２】
2016540533.tif 000004
【図３】
2016540533.tif 000005
【図４】
2016540533.tif 000006
【図５】
2016540533.tif 000007
【図６】
2016540533.tif 000008
【図７】
2016540533.tif 000009
【図８】
2016540533.tif 000010
【図９】
2016540533.tif 000011
【図１０】
2016540533.tif 000012
【図１１】
2016540533.tif 000013
【図１２】
2016540533.tif 000014
【図１３】
2016540533.tif 000015
【図１４】
2016540533.tif 000016
【図１５】
2016540533.tif 000017
【手続補正書】
【提出日】平成28年6月20日(2016.6.20)
【手続補正１】
【補正対象書類名】特許請求の範囲
【補正対象項目名】全文
【補正方法】変更
【補正の内容】
【特許請求の範囲】
【請求項１】
ハウジングおよびインサーションを備えるファッションアクセサリであって、前記ハウジングは、第１開口および第２開口を有し、前記インサーションは、前記ハウジングにおいて据え付け位置にある場合、前記第１開口を通して見ることができ、前記インサーションは、前記第２開口を通して前記据え付け位置へと取り外し可能に取り付けられ得、前記インサーションは、前記第１開口および前記第２開口を連結する空隙に実質的に適合するように形作られており、前記インサーションは、前記空隙の内側表面にはめ込まれた１または複数のマグネットおよび前記インサーションの１または複数の磁化された部分のうち少なくとも１つによって、据え付け位置に保持される、ファッションアクセサリ。
【請求項２】
前記ハウジングは、前記インサーションが前記第１開口から取り外されることを防止するスカートを有する、請求項１に記載のファッションアクセサリ。
【請求項３】
前記空隙および前記インサーションは、矩形である、請求項１または２に記載のファッションアクセサリ。
【請求項４】
前記空隙の２つの長辺は、前記内側表面にはめ込まれた複数のマグネットを有する、請求項３に記載のファッションアクセサリ。
【請求項５】
前記インサーションの前記２つの長辺は、磁化されている、請求項３に記載のファッションアクセサリ。
【請求項６】
前記空隙の前記２つの長辺は磁性を有し、前記インサーションの前記２つの長辺は複数の鋼帯である、請求項３に記載のファッションアクセサリ。
【請求項７】
前記インサーションは、前記インサーションが前記据え付け位置にある場合に、前記インサーションの外面が前記ハウジングの外面と整列するように、前記ハウジングに収まる、請求項１から６のうち何れか１項に記載のファッションアクセサリ。
【請求項８】
前記ファッションアクセサリはブレスレットである、請求項１から７のうち何れか１項に記載のファッションアクセサリ。
【請求項９】
前記ファッションアクセサリはブレスレットであり、使用中において前記第２開口は、前記ファッションアクセサリを着用している人の手首の近位に配置されている、請求項１から７のうち何れか１項に記載のファッションアクセサリ。
【請求項１０】
前記ファッションアクセサリはブレスレットであり、前記ファッションアクセサリのバンドは、前記ハウジングから取り外し可能である、請求項１から７のうち何れか１項に記載のファッションアクセサリ。
【請求項１１】
前記ファッションアクセサリは、ブーツまたは靴である、請求項１から７のうち何れか１項に記載のファッションアクセサリ。
【請求項１２】
前記ファッションアクセサリはブーツまたは靴であり、前記第２開口が、前記ファッションアクセサリを着用している人の足、足首または脚部の近位に配置されるように、前記ハウジングは、前記ブーツまたは前記靴の壁の一部分である、請求項１から７のうち何れか１項に記載のファッションアクセサリ。
【請求項１３】
前記ファッションアクセサリはコートまたはジャケットである、請求項１から７のうち何れか１項に記載のファッションアクセサリ。
【請求項１４】
前記ファッションアクセサリは、コートまたはジャケットであり、前記第２開口が、前記ファッションアクセサリの内部に面しているように配置されるように、前記ハウジングは、前記コートまたは前記ジャケットのパネルの一部分である、請求項１から７のうち何れか１項に記載のファッションアクセサリ。
【請求項１５】
前記ファッションアクセサリは、ウォレットまたはハンドバッグである、請求項１から７のうち何れか１項に記載のファッションアクセサリ。
【請求項１６】
前記ファッションアクセサリは、請求項１から１５のうち何れか１項に従って画定される、ファッションアクセサリのためのインサーション。
【手続補正２】
【補正対象書類名】明細書
【補正対象項目名】００７８
【補正方法】変更
【補正の内容】
【００７８】
本発明の範囲から逸脱することなく、多くの変形形態が当業者達には明らかであろう。
［項目１］
ハウジングおよびインサーションを備えるファッションアクセサリであって、上記ハウジングは、第１開口および第２開口を有し、上記インサーションは、上記ハウジングにおいて据え付け位置にある場合、上記第１開口を通して見ることができ、上記インサーションは、上記第２開口を通して上記据え付け位置へと取り外し可能に取り付けられ得る、ファッションアクセサリ。
［項目２］
上記インサーションは、保持手段によって上記ハウジングにおいて定位置に保持される、項目１に記載のファッションアクセサリ。
［項目３］
上記インサーションは、少なくとも１つのマグネットを含む保持手段によって上記ハウジングにおいて定位置に保持される、項目１に記載のファッションアクセサリ。
［項目４］
上記ハウジングは、上記インサーションが上記第１開口から取り外されることを防止するスカートを有する、項目１から３のうち何れか１項に記載のファッションアクセサリ。
［項目５］
上記インサーションは、上記第１開口および上記第２開口を連結する空隙に実質的に収まるように形作られている、項目１から４のうち何れか１項に記載のファッションアクセサリ。
［項目６］
上記インサーションは、上記第１開口および上記第２開口を連結する空隙に実質的に収まるように形作られており、複数のマグネットが、上記空隙の複数の壁の少なくとも一部を形成する、項目１から４のうち何れか１項に記載のファッションアクセサリ。
［項目７］
上記インサーションは、上記第１開口および上記第２開口を連結する空隙に実質的に収まるように形作られており、上記空隙および上記インサーションは、矩形である、項目１から４のうち何れか１項に記載のファッションアクセサリ。
［項目８］
上記インサーションは、上記第１開口および上記第２開口を連結する矩形の空隙に実質的に収まるように形作られており、上記空隙の２つの長辺は、上記内側表面にはめ込まれた複数のマグネットを有する、項目１から４のうち何れか１項に記載のファッションアクセサリ。
［項目９］
上記インサーションは、上記第１開口および上記第２開口を連結する矩形の空隙に実質的に収まるように形作られており、上記インサーションの上記２つの長辺は、磁化されている、項目１から４のうち何れか１項に記載のファッションアクセサリ。
［項目１０］
上記インサーションは、上記第１開口および上記第２開口を連結する矩形の空隙に実質的に収まるように形作られており、上記空隙の上記２つの長辺は磁性を有し、上記インサーションの上記２つの長辺は、複数の鋼帯である、項目１から４のうち何れか１項に記載のファッションアクセサリ。
［項目１１］
上記インサーションは、上記インサーションが上記据え付け位置にある場合、上記インサーションの外面が上記ハウジングの外面と整列するように、上記ハウジングにおいて収まるように構成されている、項目１から１０のうち何れか１項に記載のファッションアクセサリ。
［項目１２］
上記ファッションアクセサリはブレスレットである、項目１から１１のうち何れか１項に記載のファッションアクセサリ。
［項目１３］
上記ファッションアクセサリはブレスレットであり、上記第２開口は使用中において、上記ファッションアクセサリを着用している人の手首の近位に配置されている、項目１から１１のうち何れか１項に記載のファッションアクセサリ。
［項目１４］
上記ファッションアクセサリはブレスレットであり、上記ファッションアクセサリのバンドは、上記ハウジングから取り外し可能である、項目１から１１のうち何れか１項に記載のファッションアクセサリ。
［項目１５］
上記ファッションアクセサリは、ブーツまたは靴である、項目１から１１のうち何れか１項に記載のファッションアクセサリ。
［項目１６］
上記ファッションアクセサリはブーツまたは靴であり、上記第２開口が、上記ファッションアクセサリを着用している人の足、足首または脚部の近位に配置されるように、上記ハウジングは、上記ブーツまたは靴の壁の一部分である、項目１から１１のうち何れか１項に記載のファッションアクセサリ。
［項目１７］
上記ファッションアクセサリはコートまたはジャケットである、項目１から１１のうち何れか１項に記載のファッションアクセサリ。
［項目１８］
上記ファッションアクセサリは、コートまたはジャケットであり、上記第２開口が、上記ファッションアクセサリの内部に面しているように配置されるように、上記ハウジングは、上記コートまたはジャケットのパネルの一部分である、項目１から１１のうち何れか１項に記載のファッションアクセサリ。
［項目１９］
上記ファッションアクセサリは、ウォレットまたはハンドバッグである、項目１から１１のうち何れか１項に記載のファッションアクセサリ。
［項目２０］
上記ファッションアクセサリは、項目１から１９のうち何れか１項に従って定義される、ファッションアクセサリのためのインサーション。
【国際調査報告】
2016540533.tif 000018
2016540533.tif 000019
2016540533.tif 000020